(57)【要約】【課題】低消費電力化が図れるとともに、従来方式と比べ同じ周波数帯の他の信号により誤起動する確立が非常に少なくなる無線通信装置を提供する。【解決手段】質問器１１との間でマイクロ波による通信を行なう応答器（無線通信装置）１２において、質問器１１から送信される固有の起動コマンドを受信し、受信した起動コマンドが判定用の基準コマンドと一致したときのみ当該応答器１２の電源をオン状態にして質問器１１との通信を可能とする。【選択図】      図１
2005080205.tif 000002
【特許請求の範囲】
【請求項１】
質問器との間でマイクロ波による通信を行なう無線通信装置において、
質問器から送信される起動コマンドを受信する起動コマンド受信手段と、
この起動コマンド受信手段により受信された起動コマンドがあらかじめ設定される判定用の基準コマンドと一致するか否かを判定する判定手段と、
この判定手段による判定の結果、前記受信された起動コマンドが前記判定用の基準コマンドと一致したとき、当該無線通信装置の電源をオン状態にして前記質問器との通信を可能とする制御手段と、
を具備したことを特徴とする無線通信装置。
【請求項２】
前記質問器から送信される起動コマンドの送信速度は通常通信時の通信速度に比べ充分に遅いことを特徴とする請求項１記載の無線通信装置。
【請求項３】
前記質問器から送信される起動コマンドの送信速度は通常通信時における通信速度の少なくとも１／１０以下であることを特徴とする請求項２記載の無線通信装置。
【発明の詳細な説明】
【技術分野】
【０００１】
本発明は、たとえば、自動車などの移動体の存在や位置を検出してデータの授受を行なう移動体通信システムにおいて、質問器との間でマイクロ波による通信を行なう移動体に搭載される応答器などの無線通信装置に関する。
【背景技術】
【０００２】
たとえば、移動体通信システムとしてＥＴＣシステム（有料道路自動料金収受システム）が知られている。ＥＴＣシステムは、周知のように、移動体である自動車に応答器を搭載して、地上に設置された質問器との間でマイクロ波を用いた通信によりデータのやりとりを行なうことにより料金を収受するものである。
【０００３】
このような移動体通信システムに用いられる応答器は、質問器からの信号が何時くるのかわからないため、電源を常時オン状態にしておく必要があり、応答器の低消費電力化が困難である。
【０００４】
そこで、応答器の低消費電力化を図るため、質問器からの信号を検波器で監視して、受信信号のレベルが規定レベル以上になったときに、応答器の電源をオン状態にして質問器との通信を可能とすることにより、質問器と通信していないときは応答器の電源をオフ状態にすることが図られている（たとえば、特許文献１参照）。
【特許文献１】特開平８−１１６２８９号公報
【発明の開示】
【発明が解決しようとする課題】
【０００５】
しかしながら、従来の方式では、質問器からの信号を検波器で検波し、その検波信号のレベルを監視して規定のレベルになったときに応答器の電源をオンし、通信を開始しているので、同じような周波数帯の信号を受信した場合でもウェイクアップがかかってしまう可能性がある。
【０００６】
そこで、本発明は、低消費電力化が図れるとともに、従来方式と比べ同じ周波数帯の他の信号により誤起動する確立が非常に少なくなる無線通信装置を提供することを目的とする。
【課題を解決するための手段】
【０００７】
本発明の無線通信装置は、質問器との間でマイクロ波による通信を行なう無線通信装置において、質問器から送信される起動コマンドを受信する起動コマンド受信手段と、この起動コマンド受信手段により受信された起動コマンドがあらかじめ設定される判定用の基準コマンドと一致するか否かを判定する判定手段と、この判定手段による判定の結果、前記受信された起動コマンドが前記判定用の基準コマンドと一致したとき、当該無線通信装置の電源をオン状態にして前記質問器との通信を可能とする制御手段とを具備している。
【発明の効果】
【０００８】
本発明によれば、起動コマンドを受信するまでは起動コマンドの受信部以外の電源をオフさておくことができるので、無通信時の低消費電力化が図れるとともに、起動コマンドが一致したときのみ通信を開始するため、従来方式と比べ同じ周波数帯の他の信号により誤起動する確立が非常に少なくなる無線通信装置を提供できる。
【発明を実施するための最良の形態】
【０００９】
以下、本発明の実施の形態について図面を参照して説明する。  
図１は、本発明に係る無線通信装置が適用される移動体通信システムの構成を概略的に示すものである。本移動体通信システムは、質問器１１と、この質問器１１との間でマイクロ波による通信を行なう無線通信装置としての応答器１２とによって構成されている。
【００１０】
質問器１１は、応答器１２との通信開始時、最初にウェイクアップ用の固有の起動コマンドを送信するようになっている。起動コマンドは、たとえば、マンチェスタ符号でコード化されたマイクロ波の被変調波であり、その変調速度（送信速度）は数百ｂｐｓから数Ｋｂｐｓと通常通信時の通信速度に比べ充分に遅くする。この例では、たとえば、１０Ｋｂｐｓに設定されているが、最適な送信速度は通常通信時における通信速度の少なくとも１／１０以下であればよい。
【００１１】
応答器１２は、送受信用のアンテナ２１、送信回路２２、受信回路２３、これら送信回路２２および受信回路２３をアンテナ２１に接続する接続器２４、アンテナ２１からの受信信号を受信回路２３と検波回路２６に分配する分配器２５、検波回路２６の出力からクロックを抽出してデータを取込むクロック抽出回路２７、クロック抽出回路２７で取込まれたデータにより、受信された起動コマンドがあらかじめ設定される判定用の基準コマンドと一致するか否かを判定する判定手段としての判定部２８、これら全体を制御するとともに各種処理を行なうＣＰＵ（セントラル・プロセッシング・ユニット）２９、当該応答器１２の動作電源を供給する電源部（バッテリ）３０、電源部３０からの電源供給をオン，オフするスイッチ３１によって構成されている。
【００１２】
スイッチ３１によってオン，オフされる電源は、送信回路２２、受信回路２３およびＣＰＵ２９にそれぞれ供給される。スイッチ３１は、判定部２８の判定結果に応じてオン，オフされるもので、質問器１１と通信を行なわない無通信時はオフ状態に設定されている。クロック抽出回路２７および判定部２８には、電源部３０から常時動作電源が供給されている。
【００１３】
検波回路２６は、ダイオードＤ、コンデンサＣおよび抵抗Ｒによって構成された周知の回路である。
【００１４】
クロック抽出回路２７は、たとえば、図２に示すように、インバータ回路４１，４２，４３、抵抗４４、コンデンサ４５、排他的論理和回路４６、アンド回路４７、モノステーブル・マルチバイブレータ回路４８、および、Ｄ型フリップフロップ回路４９によって構成された周知の回路である。
【００１５】
次に、このような構成において動作を説明する。  
まず、質問器１１と通信を行なわない無通信時は、スイッチ３１はオフ状態にあり、これにより送信回路２２、受信回路２３およびＣＰＵ２９は電源をオフされた状態にある。したがって、質問器１１との通信は不可能な状態にある。これに対し、クロック抽出回路２７および判定部２８だけは常に電源がオン状態になっている。
【００１６】
この状態において、質問器１１から送信されるウェイクアップ用にマンチェスタ符号でコード化されたマイクロ波の被変調波、つまり質問器固有の起動コマンドを受信すると、その受信信号（図３（ａ）参照）は検波回路２６で検波され、図３（ｂ）に示すような検波信号がえられる。この検波信号は、クロック抽出回路２７を介して判定部２８に送られる。
【００１７】
判定部２８は、クロック抽出回路２７から得られる受信データ、つまり起動コマンドのコードがあらかじめ設定される判定用の基準コマンドのコードと一致するか否かを判定する。この判定の結果、受信された起動コマンドのコードが判定用の基準コマンドのコードと一致したとき、判定部２８の出力は図３（ｃ）に示すようにローレベルからハイレベルに変化し、スイッチ３１はオン状態に設定される。これにより、送信回路２２、受信回路２３およびＣＰＵ２９は動作電源が供給され、質問器１１との通信が開始される。
【００１８】
電源オン後の通信は、起動コマンドと同じ変調方式または変調方式を変えて数百Ｋｂｐｓから数十Ｍｂｐｓと高速の通信速度でデータ通信を行なう。この例では、たとえば、２Ｍｂｐｓに設定されている。
【００１９】
以上説明したように上記実施の形態によれば、以下のような作用効果が期待できる。  
(1) 起動コマンドを受信するまでは応答器１２のクロック抽出回路２７および判定部２８以外の電源をオフさておくことができ、無通信時の低消費電力化が図れる。  
(2) 起動コマンドが一致したときのみ質問器１１との通信を開始するため、受信レベルを判定基準にする従来の方式と比べ同じ周波数帯の他の電波により誤起動する確立が非常に少なくなる。  
(3) 起動コマンドの送信速度を通常通信時の通信速度よりも充分に遅くすることにより、起動コマンドの検波回路２６が簡単かつ安価に構成できる。  
(4) 通常通信時の変調方式がＱＰＳＫとか別の変調方式の場合でも起動コマンドをＡＳＫにすることにより、起動コマンドの検波回路２６を簡単かつ安価に構成できる。  
(5) 起動コマンドの送信速度を遅くするため、判定部２８の低消費電力化が図れる。
【図面の簡単な説明】
【００２０】
【図１】本発明に係る無線通信装置が適用される移動体通信システムの構成を概略的に示すブロック図。
【図２】クロック抽出回路の構成を概略的に示すブロック図。
【図３】動作を説明するためのタイミングチャート。
【符号の説明】
【００２１】
１１…質問器、１２…応答器（無線通信装置）、２１…送受信用のアンテナ、２２…送信回路、２３…受信回路、２６…検波回路、２７…クロック抽出回路、２８…判定部（判定手段）、２９…ＣＰＵ、３０…電源部（バッテリ）、３１…スイッチ。
【図１】
2005080205.tif 000003
【図２】
2005080205.tif 000004
【図３】
2005080205.tif 000005